(57)【要約】  【課題】簡単な操作で個人の嗜好に合った旅行プランを作成し、旅行履歴をサーバにアップロードすることによって、自身および他人の旅行プランを有効に活用する。  【解決手段】Ｓ１において、ユーザのプロファイルが登録される。Ｓ２において、旅行可能期間が入力され、Ｓ３において、旅行希望地域が入力される。Ｓ４において、キーワードが入力される。Ｓ１〜Ｓ４において入力された情報に基づいて、サーバ３において、データベースが検索され、入力された情報にマッチした基本プランがクライアント端末に対してダウンロードされる。基本プランがクライアント端末の画面上に表示される。Ｓ６において、ユーザが気に入った基本プランの有無が決定され、気に入った基本プランがあると決定されると、Ｓ７において、基本プランが決定される。Ｓ８において、ユーザの希望があれば、決定された基本プランに対して経路の変更、追加が行われる。【選択図】図２
2010003158.tif 000002
【特許請求の範囲】
【請求項１】
旅行経路の基本プランと利用者のプロファイルおよび旅行可能期間とが関連付けて登録されたデータベースを有するサーバと、
上記サーバとネットワークを介して選択されたクライアント端末と、
上記クライアント端末との間でデータの授受が可能な携帯端末とからなり、
上記クライアント端末において入力されたプロファイルおよび旅行可能期間の情報が上記サーバへ送信され、
上記サーバの上記データベースを参照して上記プロファイルおよび上記旅行可能期間にマッチした基本プランが検索され、検索された上記基本プランが送信され、
上記クライアント端末において上記基本プランを編集して基本経路が作成され、
上記基本経路のデータが旅行に持参する上記携帯端末にダウンロードされ、
上記携帯端末に保存されている旅行履歴データが上記クライアント端末および上記ネットワークを介して上記サーバの上記データベースにアップロードされるようにした旅行プラン作成システム。
【請求項２】
旅行中に上記携帯端末上で、上記基本経路に関連した情報を表示し、必要な情報を上記基本経路と関連付けて保存するようにした旅行プラン作成システム。
【請求項３】
上記プロファイルおよび上記旅行可能期間に加えて旅行希望地域の情報にマッチした基本プランを検索するようにした旅行プラン作成システム。
【請求項４】
上記サーバおよび上記クライアント端末によって、コミュニティが構築される旅行プラン作成システム。
【請求項５】
旅行経路の基本プランと利用者のプロファイルおよび旅行可能期間とが関連付けて登録されたデータベースを有するサーバに対して、クライアント端末において入力されたプロファイルおよび旅行可能期間の情報を送信するステップと、
上記サーバから上記クライアント端末が上記プロファイルおよび旅行可能期間にマッチした基本プランを受信するステップと、
上記クライアント端末において上記基本プランを編集して基本経路を作成するステップと、
上記基本経路を旅行に持参する携帯端末にダウンロードするステップと、
上記携帯端末に保存されている旅行履歴データを上記クライアント端末および上記ネットワークを介して上記サーバの上記データベースにアップロードするステップとからなる旅行プラン作成方法。
【発明の詳細な説明】
【技術分野】
【０００１】
この発明は、旅行プラン作成システムおよび作成方法、特に、特定の個人の好みにマッチした旅行プランを簡単に作成することができる旅行プラン作成システムおよび作成方法に関する。
【背景技術】
【０００２】
近年、インターネットの発達により、旅行代理店のホームページから、旅行ツアーの予約などを行うことができるサービスが提供されている。例えば、特許文献１には、旅行ツアーの検索の際に、出発日、予算、旅行エリアなどの検索条件を入力し、ユーザの所望の旅行商品を提示するサーバクライアント型のシステムが記載されている。
【０００３】
【特許文献１】特開２００３−１９６３０７号公報
【０００４】
さらに、下記特許文献２には、ユーザがサーバにアクセスしてオリジナルな旅行プランを作成し、旅行先で旅行プランを携帯端末にダウンロードすることが記載されている。さらに、特許文献２には、旅行中に撮影した写真等の情報をアップロードして旅行プランに埋め込んでＷＥＢ上で公開することが記載されている。
【０００５】
【特許文献２】特開２００２−２０３０１４号公報
【発明の開示】
【発明が解決しようとする課題】
【０００６】
しかしながら、特許文献１に記載のシステムにおいては、旅行会社のサーバから提供される旅行プランは、種類が限定されており、必ずしも、個人の趣味、嗜好等を十分に満足するものではない問題があった。
【０００７】
一方、旅行プランを白紙の状態から作成することは、特許文献２に記載されているサーバの支援を受けたとしても、クライアント端末の面倒な操作を必要とする問題がある。さらに、自身が旅行した後にアップロードした旅行プランに限らず、他人がアップロードした旅行プランを有効に利用することが充分にできない問題があった。
【０００８】
したがって、この発明の目的は、個人の好みにマッチした旅行プランの作成が容易であると共に、自分および他人の作成した旅行プランを有効に活用することができる旅行プラン作成システムおよび作成方法を提供することにある。
【課題を解決するための手段】
【０００９】
上述した課題を解決するために、この発明は、旅行経路の基本プランと利用者のプロファイルおよび旅行可能期間とが関連付けて登録されたデータベースを有するサーバと、
サーバとネットワークを介して選択されたクライアント端末と、
クライアント端末との間でデータの授受が可能な携帯端末とからなり、
クライアント端末において入力されたプロファイルおよび旅行可能期間の情報がサーバへ送信され、
サーバのデータベースを参照してプロファイルおよび旅行可能期間にマッチした基本プランが検索され、検索された基本プランが送信され、
クライアント端末において基本プランを編集して基本経路が作成され、
基本経路のデータが旅行に持参する携帯端末にダウンロードされ、
携帯端末に保存されている旅行履歴データがクライアント端末およびネットワークを介してサーバのデータベースにアップロードされるようにした旅行プラン作成システムである。
【００１０】
好ましくは、旅行中に携帯端末上で、基本経路に関連した情報を表示し、必要な情報を基本経路と関連付けて保存する。
【００１１】
好ましくは、プロファイルおよび旅行可能期間に加えて旅行希望地域の情報にマッチした基本プランを検索する。
【００１２】
好ましくは、サーバおよびクライアント端末によって、コミュニティが構築される。
【００１３】
この発明は、旅行経路の基本プランと利用者のプロファイルおよび旅行可能期間とが関連付けて登録されたデータベースを有するサーバに対して、クライアント端末において入力されたプロファイルおよび旅行可能期間の情報を送信するステップと、
サーバからクライアント端末がプロファイルおよび旅行可能期間にマッチした基本プランを受信するステップと、
クライアント端末において基本プランを編集して基本経路を作成するステップと、
基本経路を旅行に持参する携帯端末にダウンロードするステップと、
携帯端末に保存されている旅行履歴データをクライアント端末およびネットワークを介してサーバのデータベースにアップロードするステップとからなる旅行プラン作成方法である。
【発明の効果】
【００１４】
この発明では、ユーザのプロファイルおよび旅行可能期間に応じた旅行プランが提供される。したがって、簡単な操作で個人の嗜好に合った旅行プランを作成できる。さらに、この発明は、旅行履歴をサーバにアップロードすることによって、自身および他人の旅行プランを有効に活用することができる。
【発明を実施するための最良の形態】
【００１５】
以下、この発明の実施の形態について図面を参照して説明する。図１は、この発明の一実施の形態による旅行プラン作成システムの構成を示す。図１に示すように、この旅行プラン作成システムは、各ユーザの情報処理装置によって構成されるクライアント端末１がインターネット２を介してサーバ３にアクセスするサーバクライアント型システムである。
【００１６】
一例として、クライアント端末１およびサーバ３によりソーシャル・ネットワーキング・サービス（以下、ＳＮＳと適宜称する）が構築されている。すなわち、ＳＮＳは、会員制間のコミュニケーションを構築するサービスである。会員は、会員登録時に、自身のプロファイルを登録している。すなわち、個人情報（氏名、性別、年齢、性格、住所等）、嗜好情報（好物等）、セキュリティに関する情報（会員ＩＤ、パスワード）等を登録している。
【００１７】
ユーザは、サーバ３に自身のプロファイルを入力する。そして、サーバ３のデータベースに対してアクセスし、サーバ３上に蓄積されている旅行プランの中で、自身のプロファイルおよび旅行可能期間にマッチした旅行プランが検索される。検索された旅行プランがクライアント端末１にダウンロードされる。通常、複数の旅行プランがダウンロードされる。ダウンロードされる旅行プランを基本プランと称する。基本プランの中で気に入った基本プランを選択する。さらに、自身の希望に沿って基本プランを編集し、最終的に基本プランに基づく基本経路が作成される。
【００１８】
作成された基本経路のデータがクライアント端末１から携帯端末にダウンロードされる。図１では、携帯端末として、ＰＳＰ（プレイステーションポータブル：登録商標）などの携帯型ゲーム機４、携帯ナビゲーション装置５が示されている。これらの携帯端末例えば携帯型ゲーム機４に対してクライアント端末１によって編集された旅行プラン（基本経路）がダウンロードされる。携帯型ゲーム機４の表示画面には、ダウンロードした基本経路を表示できる。そして、基本経路がダウンロードされた携帯端末は、旅行の際に携帯され、基本経路を携帯型ゲーム機４の画面上で確認しながら、旅行をすることができる。
【００１９】
クライアント端末１は、例えば、パーソナルコンピュータ、ＰＳ３（プレーステーションスリー；登録商標）などである。クライアント端末１では、旅行プランの編集や旅行プランの保存などを行う。旅行プランは、クライアント端末１に入力されるユーザの嗜好や個人情報などに基づいてサーバ３のデータベース上で検索され、個人の嗜好を十分に満足する基本プランがサーバ３によって提供される。
【００２０】
ユーザが入力したプロファイルに応じて基本プランがサーバ３からクライアント端末１に対して提供される。基本プランは、旅行経路を示すものである。プロファイルと基本プランとが関連付けてデータベース上に保持される。さらに、基本プランは、旅行可能期間および旅行行き先と関連付けてデータベース上に保持される。さらに、旅行経路と関連する詳細情報も基本プランとしてサーバ３からクライアント端末１に対して提供される。さらに、サーバ３には、サイト運営者が旅行地域の事前調査や情報収集を行うことによって、下記のようなデータが蓄積されている。
【００２１】
歴史・文学、温泉、ショッピング、アウトドア、名所などの目的別に基本プランの情報が蓄積されている。さらに、自動車、鉄道、船舶、徒歩、自動車などの移動手段別に基本プランの情報が蓄積されている。さらに、バーチャル基本プラン、イメージ映像の提供、旅行した経過を地図上に表示したり、地図の作成などを行うようにしても良い。さらに、例えば、表示画面に白地図を提供し、旅行をした経路を埋めていくなどのゲーム性を持たせるようにしても良い。さらに、サーバ３には、地図情報、観光名所、娯楽施設、宿泊施設、交通機関等の最新情報が蓄積されている。
【００２２】
クライアント端末１により、旅行プランを作成する処理について、図２のフローチャートを参照して説明する。ステップＳ１において、クライアント端末１によって、ユーザのプロファイルが登録される。図３は、会員登録時等の初期にクライアント端末１のディスプレイに表示されるプロファイル登録入力画面の一例を示す。性別、年齢等の個人情報に加えて、趣味、嗜好、好物等の嗜好情報が登録される。なお、アクセスの度にプロファイルを入力せずに、プロファイルの情報をサーバ３に蓄積し、予め設定されているユーザＩＤ、パスワードの入力によってプロファイルを実質的に入力できる。
【００２３】
図３に示す画面において、性別の欄には、選択肢として男性、女性が表示されており、クライアント端末１の入力装置によってカーソルを移動して、男性または女性をチェックする。年齢の欄には、選択肢として、１０代、２０代・・・が表示されており、クライアント端末１の入力装置によってカーソルを移動して、該当する年齢の選択肢をチェックする。居住地域の欄には、北海道、札幌市、青森県・・・が表示されており、クライアント端末１の入力装置によってカーソルを移動して、該当する居住地域の選択肢をチェックする。趣味・嗜好の欄にも、同様に、選択肢が表示されており、クライアント端末１の入力装置によってカーソルを移動して、該当する趣味・嗜好をチェックする。図３に示す入力画面にしたがって入力されたプロファイルがサーバ３に会員ＩＤ毎に登録される。
【００２４】
ステップＳ２において、ユーザが旅行可能期間を入力し、旅行可能期間が設定される。ステップＳ３において、ユーザが旅行希望地域を入力し、旅行希望地域が設定される。旅行希望地域の入力は、任意的なものであり、旅行希望地域があれば、旅行希望地域を入力し、旅行希望地域がなければ、旅行希望地域を入力しない。
【００２５】
ステップＳ４において、ユーザが気になるキーワードがあれば、気になるキーワードが入力される。入力されたキーワードに関連した旅行プランが提案される。例えば、ドラマの名前をキーワードとして入力した場合にはドラマの撮影地が提案される。例えば、花見をキーワードとして入力した場合には、花見に適した場所などが含まれた旅行プランが提案される。
【００２６】
ステップＳ５において、ステップＳ１、Ｓ２、Ｓ３およびＳ４において入力された情報に基づいて、サーバ３において、データベースが検索され、入力された情報にマッチした基本プランがクライアント端末１に対してダウンロードされる。ダウンロードされた基本プランがクライアント端末１の画面上に表示される。
【００２７】
最小限、ユーザのプロファイル（ユーザＩＤ）と旅行可能な期間とから基本プランが決定される。したがって、旅行プランを作成する手間が少なく、且つ自身の嗜好に合った基本プランがサーバ３によって提供される。実際に、暇ができて旅行に行きたいと漠然と思った場合には、行き先、目的等を決めていないことが多い。
【００２８】
ステップＳ５において、設定された旅行可能期間、旅行希望地域やキーワードに基づき、データベース（図ではＤＢと適宜略す）と照合され、おすすめの基本プランが検索される。おすすめの基本プランは、例えば、図４に示すように、クライアント端末１の画面上にユーザのプロファイルにマッチした複数の基本プランのリストが表示される。ステップＳ６において、ユーザが気に入った基本プランの有無が決定される。気に入った基本プランがあると決定されると、ステップＳ７において、クライアント端末１の入力装置を操作することによって、ユーザが基本プランを決定する。例えば基本プラン１が選択される。
【００２９】
詳細表示を選択することによって決定された基本プランの詳細が表示される。図５に示すように、各基本プランを詳細に説明した画面表示を選択することによって、基本プランの詳細な説明、移動手段案の紹介、経路１１のような地図上の経路の表示、経路周辺情報、見所などの解説が表示される。移動手段案の紹介に基づいてユーザに対して複数の経路が表示され、その中の一つの経路が選択可能とされている。なお、データベース上の地図データは、広域、中域、詳細等の複数のテーブルを有し、ユーザが所望の縮尺を選択することが可能とされている。
【００３０】
ステップＳ６において、ユーザが気に入ったプランがある場合には、ステップＳ７において、基本プランの決定がなされる。すなわち、図４に示す表示画面に表示されている複数の基本プランの中の一つの基本プランが選択される。
【００３１】
ステップＳ８において、ユーザの希望があれば、決定された基本プランに対して経路の変更、追加が行われる。例えば図６に示すように、基本プランの経路１１が経路２１に変更される。変更の検討のために、画面の右上には、基本プラン（プラン１）に関連する周辺情報が表示される。周辺情報は、○○公園、××海岸、△△道の駅などの選択肢で表示される。
【００３２】
周辺情報を基本プランに追加したい場合には、クライアント端末１のコントローラによって、カーソルを移動することで基本プランに追加する選択肢をチェックする。基本プランに追加する周辺情報が決定されると、周辺情報に立ち寄ることができるように作成された基本経路２１が地図上に表示される。以上の処理によって、基本経路の設定が完了する。
【００３３】
図７を参照して、上述したように作成された基本経路のデータを携帯端末例えば携帯型ゲーム機４にダウンロードする処理について説明する。携帯型ゲーム機４は、旅行中に携帯される。携帯型ゲーム機４は、作成された旅行プラン（基本経路）を画面上に表示することができ、旅行のガイドとしての機能を有する。
【００３４】
さらに、携帯型ゲーム機４は、ＧＰＳ（Global Positioning System）機能を有し、旅
行中に、自分の現在位置を確認でき、基本経路上に現在位置を表示することができる。さらに、携帯型ゲーム機４がカメラ機能を有し、撮像した画像に撮像場所の位置情報を付加することができる。携帯型ゲーム機４は、無線ＬＡＮなどによって、インターネット１を介して、データベースに接続可能であり、基本経路に関連する情報の取得および情報の更新が可能とされている。
【００３５】
ステップＳ１１において、決定された基本経路がクライアント端末１から携帯型ゲーム機４にダウンロードされる。ステップＳ１２は、携帯型ゲーム機４を旅行中に携帯することを表している。そして、旅行中、ステップＳ１３で示されるように、必要に応じて基本経路に関連した最新の情報がネットワーク経由でダウンロードされる。
【００３６】
図８に示すように、携帯型ゲーム機４の画面には、地図表示領域４１と、メニュー表示領域４２と、最新情報表示部４３とが設定されている。地図表示領域４１には、地図に重ねて、ダウンロードされた基本経路４４と、携帯型ゲーム機４によって新たに設定した経路４５と、過去にユーザが旅行した経路４６とが表示される。これらの経路は、異なる色、異なる線種によって区別が容易な態様で表示される。
【００３７】
さらに、地図表示領域４１には、その地点での最新おすすめ情報やＳＮＳ会員の周辺所在情報やＳＮＳ会員からの詳細地域情報が表示されている。メニュー表示領域４２には、携帯型ゲーム機４の操作メニュー（操作アイコン等）が表示されている。最新情報表示部４３には、交通情報、地域商用情報、最新おすすめ情報が表示されている。これらの情報は、ネットワークに接続することで、随時更新することができる。
【００３８】
携帯型ゲーム機４に表示された情報を確認することによって、ユーザが旅行プランの変更追加を希望する場合には、携帯型ゲーム機４で、追加の旅行プランを決定できる。（ステップＳ１４）基本プランに経路を追加したり、経路の選定を携帯型ゲーム機４で行うことができる（ステップＳ１５）。この処理は、図６を参照して前述したような操作と同様の操作で行われる。
【００３９】
基本プランに経路を追加後、気になった情報があるか否かがステップＳ１６において判定される。気になった情報がある場合には、情報を確認して、経路の追加、選定を繰り返し行い、他に追加経路がない場合には、基本プランに追加経路を反映させた新たなプランが決定される（ステップＳ１７）。図８中の経路４５は、このように追加された経路である。このように携帯型ゲーム機４を利用することにより、作成した基本経路を最新の情報に対応した旅行プランに変更することができる。
【００４０】
この発明の一実施の形態の旅行プラン作成システムによると、クライアント端末１によって基本経路を作成し、この基本経路を携帯型ゲーム機４にダウンロードし、携帯型ゲーム機４を携行して旅先での利便性を向上させることができる。
【００４１】
携帯型ゲーム機４は、旅行中に携帯し、実際に旅行した経過を地図上に記録することができる。さらに、旅行中に撮影した写真データなどがクライアント端末１にアップロードされ、旅行履歴がクライアント端末１に保存される。例えば携帯型ゲーム機４は、カメラ機能を有しており、観光名所等を写真で撮り、取った写真をそのまま携帯型ゲーム機４に保存することができる。他のデジタルカメラで撮影した画像データを保存しても良い。このように、クライアント端末１に旅行履歴データが保存され、管理される。さらに、クライアント端末１からインターネット２を介してサーバ３に基本経路を含む旅行履歴データがアップロードされる。
【００４２】
図９のフローチャートを参照して、旅行履歴の保存処理について説明する。旅程終了すると、携帯型ゲーム機４から旅行に関するデータがクライアント端末１にアップロードされる（ステップＳ２１）。ステップＳ２２において、クライアント端末１の操作によって旅行に関連して保存したい事項が登録される。
【００４３】
図１０に示すように、実際に旅行した基本経路（修正、追加がなされたものを含む）３１に対して、登録地点（ポイントＡ，ポイントＢ，・・・）に対して、保存したい事項が登録される。例えば登録地点での出来事等のメモ、登録地点で撮影した写真、動画像等が登録される。この登録操作は、クライアント端末１にアップロードする前に携帯型ゲーム機４において行うようにしても良い。
【００４４】
ステップＳ２３において、登録処理が完了したか否かが判定される。登録処理が完了すると、最終的な旅行履歴のデータが完成する。図１を参照して説明したように、クライアント端末１は、インターネットを介してサーバ３と接続されており、ステップＳ２３において、登録処理が完了したと判定されると、旅行履歴のデータがクライアント端末１からサーバ３にアップロードされる。サーバ３の旅行履歴のデータベースが更新される。
【００４５】
旅行履歴のデータベースは、例えばＳＮＳと称されるコミュニティで活用される。会員は、旅行履歴のデータベースにアクセスして会員が作成した旅行履歴のデータベースを閲覧し、希望した旅行履歴を基本プランとしてダウンロードすることができる。この発明の一実施の形態において、旅行可能期間を設定することによって、その会員のプロファイルにマッチした基本プランがおすすめの基本プランとして提示される。この基本プランが蓄積されているデータベースとして旅行履歴データベースを利用することができる。
【００４６】
さらに、ＳＮＳにおいて、会員参加型コンテストを行うようにしても良い。具体的には、おすすめの旅のコンテスト、写真コンテスト、ビデオコンテストが行われる。さらに、カテゴリー別掲示板、地域情報、観光地レポート、地域検定、雑学クイズなどで情報交換が行われる。さらに、旅行履歴のデータベースと関連して観光広告の表示、交通機関の広告の表示、チケット等の発行業務、宿泊案内業務等を行うようにしても良い。
【００４７】
この発明は、上述したこの発明の実施形態に限定されるものでは無く、この発明の要旨を逸脱しない範囲内で様々な変形や応用が可能である。
【図面の簡単な説明】
【００４８】
【図１】この発明の一実施の形態による旅行プラン作成システムの全体構成図である。
【図２】旅行プランの作成の処理の流れを示すフローチャートである。
【図３】個人情報、嗜好等のプロファイルを入力するクライアント端末の画面の一例を示す略線図である。
【図４】おすすめの基本プランのリストを表示する際のクライアント端末の画面の一例を示す略線図である。
【図５】基本プランの詳細を表示する際のクライアント端末の画面の一例を示す略線図である。
【図６】基本プランに対して経路追加を検討する際のクライアント端末の画面の一例を示す略線図である。
【図７】基本プランを携帯型ゲーム機にダウンロードする処理と、ダウンロードされた基本プランを変更する処理を説明するためのフローチャートである。
【図８】携帯型ゲーム機の画面の表示の一例を示す略線図である。
【図９】旅行履歴をサーバに登録する処理を説明するためのフローチャートである。
【図１０】旅行履歴に対して保存したい事項を登録する場合の画面の一例を示す略線図である。
【符号の説明】
【００４９】
１・・・クライアント端末
２・・・インターネット
３・・・サーバ
４・・・携帯型ゲーム機
１１，２１・・・経路
４１・・・地図表示領域
４２・・・メニュー表示領域
４３・・・最新情報表示領域
４５，４６・・・経路
【図１】
2010003158.tif 000003
【図２】
2010003158.tif 000004
【図３】
2010003158.tif 000005
【図４】
2010003158.tif 000006
【図５】
2010003158.tif 000007
【図６】
2010003158.tif 000008
【図７】
2010003158.tif 000009
【図８】
2010003158.tif 000010
【図９】
2010003158.tif 000011
【図１０】
2010003158.tif 000012